(57)【要約】【課題】複数段積み重ねた状態にして設置される壁面用などのパネルの取り付けを簡単化し、さらに、下段のパネルのみを外して交換することを可能ならしめた取り付け具を提供する。【解決手段】裏面に取り付け部１１ｂを、下面にパネルはめ込み用の溝１１ｃを各々備える最上部固定枠１１と、裏面に上方に突出する係止具１２ｂを、下面にパネルはめ込み用の溝１２ｃを各々備える上横枠１２と、裏面に取り付け穴付き取り付け部１３ｂを、上面にパネルはめ込み用の溝１３ｃを各々備える下横枠１３とで取り付け具１０を構成し、最上部固定枠１１を上縁に、下横枠１３を下縁に予め固定した最上段用パネルを最初に取り付け、次に、上から２段目のパネルの上縁部に予め固定した上横枠１２の係止具１２ｂを上側の固定済み下横枠１３の裏面に係止させ、この２段目のパネルの下縁に固定してある下横枠を支持部にボルトで固定する。以後、同様の作業を繰り返してパネルを最上段から下に向けて取り付けて行くようにした。【選択図】  図３
2004162349.tif 000002
【特許請求の範囲】
【請求項１】
裏面に取り付け部を、下面にパネルはめ込み用の溝を各々備える最上部固定枠と、
裏面に上方に突出する係止具を、下面にパネルはめ込み用の溝を各々備える上横枠と、
裏面に所定長さ後退した位置から下方に垂下する取り付け穴付き取り付け部を、上面にパネルはめ込み用の溝を各々備える下横枠とから成り、
ボルトで定位置に固定した最上部固定枠の溝に最上段のパネルの上縁部を、最上段のパネルを除くパネルの上縁部に前記上横枠を、各段のパネルの下縁部に前記下横枠をそれぞれはめ、前記係止具を下から差し込んで上段のパネルに取り付けられた下横枠の裏面に係止させ、前記係止具と干渉しない位置に設けた下横枠の取り付け部をパネルの裏側の支持部に固定ボルトで固定し、これを繰り返してパネルを最上段から下に向けて取り付けて行くようにしたパネルの取り付け具。
【請求項２】
前記係止具と最上部固定枠及び下横枠の取り付け部をそれぞれ複数個設けた請求項１記載のパネルの取り付け具。
【請求項３】
最上部固定枠と下横枠の取り付け部にそれぞれ締結ボルトを用いて固定する補助具を含ませ、その補助具に縦長の締結ボルト挿通穴と、固定ボルト挿通穴と、固定ボルトに螺合させて補助具を間に挟む止めナット及び締付けナットのどちらか一方に相対回転不可に係止するナット係止部とを設け、さらに、前記取付け部に設ける締結ボルト挿通穴を横長の長穴となした請求項１又は２記載のパネル取り付け具。
【請求項４】
請求項１記載の最上部固定枠を上縁部に、下横枠を下縁部に各々取付けた最上段用パネルと、上横枠を上縁部に、下横枠を下縁部に各々取付けた１乃至複数枚の下段用パネルとを組み合わせて成るパネルセット。
【発明の詳細な説明】
【０００１】
【発明の属する技術分野】
この発明は、分割された壁面パネル等のパネルを簡単に組み付け、かつ簡単に取外すことを可能ならしめたパネルの取り付け具に関する。
【０００２】
【従来の技術】
例えば、高速道路には、分割された壁面パネルを組み合わせて構成される遮音壁や吸音壁が多用されている。このような壁の中に、横長の壁面パネルを多段に積み重ねて取り付けるものがあり、この壁においては図１１に示すように、壁面パネル２０の４隅に取り付け金具２１を設け、その４隅の金具２１を支柱や裏側のコンクリート壁等にボルトで固定して下側から上に向かって順に壁面パネルを組み立てるようにしている。
【０００３】
【発明が解決しようとする課題】
道路用の遮音壁、吸音壁は特に、車の衝突、接触事故などによって下段の壁面パネル（吸音板や遮音板）が破損する可能性が高い。
【０００４】
その下段の壁面パネルが破損した場合、修復のためにそれを交換するが、従来の遮音壁、吸音壁などは、壁面パネルを最下段から上に向かって順番に組み立てており、最上段から順に壁面パネルを取り外さないと痛んだパネルを取り外すことができず、壁面パネル交換の時間と手間が多くなる欠点があった。
【０００５】
また、壁面パネルの４隅をボルトで固定するので、新設壁の施工に要する時間と手間も多くなっていた。
【０００６】
そこで、この発明は、壁面パネルを始めとした各種パネルの取り付け、取り外しを簡単化し、また、上段のパネルを外さずに下段のパネルを交換可能となすことを課題としている。
【０００７】
【課題を解決するための手段】
上記の課題を解決するため、この発明においては、パネルの取り付け具を、裏面に取り付け部を、下面にパネルはめ込み用の溝を各々備える最上部固定枠と、裏面に上方に突出する係止具を、下面にパネルはめ込み用の溝を各々備える上横枠と、
裏面に所定量後退した位置から下方に垂下する取り付け穴付き取り付け部を、上面にパネルはめ込み用の溝を各々備える下横枠とで構成し、
ボルトで定位置に固定した最上部固定枠の溝に最上段のパネルの上縁部を、最上段のパネルを除くパネルの上縁部に前記上横枠を、各段のパネルの下縁部に前記下横枠をそれぞれはめ、前記係止具を下から差し込んで上段のパネルに取り付けられた下横枠の裏面に係止させ、前記係止具と干渉しない位置に設けた下横枠の取り付け部をパネルの裏側の支持部にボルトで固定し、これを繰り返してパネルを最上段から下に向けて取り付けて行くようにしたのである。
【０００８】
この取り付け具は、パネルの支持安定性を高めるために上横枠に設ける係止具と、最上部固定枠及び各下横枠に設ける取り付け部をそれぞれ複数個、好ましくは各２個とするのがよい。
【０００９】
また、前記固定ボルトが設置位置規制を受け、そのために最上部固定枠と下横枠の取り付け部に設けるボルト穴が固定ボルトに対して上下、或いは左右に位置ずれすることがあるので、その対策として、最上部固定枠と下横枠の取り付け部にそれぞれ締結ボルトを用いて固定する補助具を含ませ、その補助具に縦長の締結ボルト挿通穴と、固定ボルト挿通穴と、固定ボルトに螺合させて補助具を間に挟む止めナット及び締付けナットのどちらか一方に相対回転不可に係止するナット係止部とを設け、さらに、前記取付け部に設ける締結ボルト挿通穴を横長の長穴となしておくのも好ましい。
【００１０】
この取り付け具は、最上部固定枠、上横枠、下横枠を予め対応するパネルに取付けておくのがよい。そのようにしたパネル、即ち、最上部固定枠を上縁部に、下横枠を下縁部に各々取付けた最上段用パネルと、上横枠を上縁部に、下横枠を下縁部に各々取付けた１乃至複数枚の下段用パネルとを組み合わせて成るパネルセットも併せて提供する。
【００１１】
【作用】
この発明の取り付け具を用いれば、上横枠の裏面に設けた係止具を上段のパネルに取り付けた下横枠の裏面に係止させるので、ボルトによる止着は最上部固定枠と各段の下横枠のみについて行えばよく、取り付け時の作業性が向上する。
【００１２】
また、最下段の下横枠を外すと最下段のパネルが外れ、２段目以降のパネルも同様に下横枠を外して下から順に取り外すことが可能になる。従って、下段のパネルが痛んでも上段のパネルを取り外さずに痛んだパネルを交換することができ、交換時の作業性も良くなる。なお、上記で好ましいとした構成の作用・効果については次項で述べる。
【００１３】
【発明の実施の形態】
以下、この発明の実施形態を図１乃至図１０に基づいて説明する。図１は、道路の掘割に設ける吸音壁１を例に挙げている。この吸音壁１は、この発明の取り付け具１０を用いて掘割のコンクリート面Ｗの外側に、横長の吸音板２（パネル）を図２に示すように多段に積み重ねた状態に取り付けて構成される。吸音板２は、アルミパンチング板で構成されるボックス状パネルの内部に不織布と吸音材となるグラスウールを充填したもの等が用いられる。
【００１４】
図３に、取り付け具１０の詳細を示す。この取り付け具１０は、吸音板２とほぼ同じ長さの３種類の枠、即ち、最上部固定枠１１と、最上段の吸音板を除く吸音板の上縁部にそれぞれ取り付ける上横枠１２と、各段の吸音板の下縁部に取り付ける下横枠１３とで構成される。吸音板２の積み重ね段数をＮとすると、下横枠１３はＮ個、上横枠１２は（Ｎ−１）個を一組として組み合わせる。最上部固定枠１１は、吸音板２の積み重ね段数とは関係なく、一組当たりの組合わせ数は１個となる。
【００１５】
最上部固定枠１１は、断面逆Ｕ字状のフレーム１１ａと、このフレームの両端に近い位置の裏面に設けた取り付け部１１ｂとから成る。フレーム１１ａの下向き開口の溝１１ｃはパネルはめ込み用の溝となる。取り付け部１１ｂは、フレーム１１ａに溶接するプレートを曲げ加工してフレーム１１ａの裏面から所定長さ後退した位置に垂下部を形成し、その垂下部に横長の取り付け穴ｈを設けたものを採用したが図示のものに限定されない。
【００１６】
上横枠１２は、断面逆Ｕ字状のフレーム１２ａの裏面に上方に突出した係止具１２ｂを設けてなる。フレーム１２ａの下向き開口の溝１２ｃはパネルはめ込み用の溝となる。フレーム１２ａの両端近くの裏面にプレートを溶接してそれを係止具１２ｂとして使用している。この係止具１２ｂの係止面はフレーム１２ａの裏面と同一面内にある。また、この係止具１２ｂは、最上部固定枠１１と下横枠１３に設ける取り付け部との干渉を回避できる位置に設けてある。この係止具１２ｂは、吸音板２の長さによっては１個に減らすこと、或いは２個以上に増やすことも規制されない。
【００１７】
下横枠１３は、断面Ｕ字状のフレーム１３ａと、このフレームの両端に近い位置の裏面に設けた取り付け部１３ｂとから成る。フレーム１３ａの上向き開口の溝１３ｃはパネルはめ込み用の溝となる。取り付け部１３ｂは、最上部固定枠１１に設けた取り付け部と同じものであり、フレーム１３ａの裏面から所定長さ後退した位置の垂下部に横長の取り付け穴ｈを有する。なお、フレーム１１ａ、１２ａ、１３ａは、図示のように、後部側の壁面の高さを前部側壁面よりも高くすると、パネルのはめ込みがし易い。
【００１８】
このように構成した取り付け具は、好ましくは、最上段用吸音板２の上縁部に最上部固定枠１１を、下縁部に下横枠１３を予め嵌めて一体化しておく。また、下段用吸音板２（上から二段目以降の吸音板）についても、図４に示すように上縁部に上横枠１２を、下縁部に下横枠１３をそれぞれ嵌めて一体化しておき、これを施工現場に搬入して最上段の吸音板を最初に取り付ける。
【００１９】
図１、図５に示すように、掘割のコンクリート壁面Ｗに植設されたアンカーボルト１４を最上段用吸音板の取り付け部１１ｂと１３ｂの取り付け穴ｈに通し、止めナットＮ１と締付けナットＮ２で取り付け部１１ｂ、１３ｂを固定して最上段用吸音板２の取り付けを終える。次に、上から２段目の吸音板２を取り付ける。その取り付けは、上横枠１２の係止具１２ｂを既に固定し終えた最上段のパネルの下縁の下横枠１３の裏側に差し込んでフレーム１３ａの裏面に係止させ、上から２段目の吸音板に固定されている下横枠１３を上段の吸音板の下横枠１３と同様にコンクリート壁面Ｗに植設されているアンカーボルト１４に固定する。
【００２０】
以後、最下段の吸音板の取り付けが完了するまで同様の作業を繰り返す。
【００２１】
こうして組み上げた図１、図２の吸音壁１は、固定用のボルト、係止具、取り付け部が吸音板の裏に隠れて見栄えが良い。この吸音壁１は、車両の衝突、接触などによっていくつかの吸音板が痛んだ場合、下横枠を外して最下部から順に痛んだ吸音板を取り外し、新しいものと交換する。このように、吸音板を下から外しても、上段の吸音板はその板の下縁に嵌めた下横枠に支持されているので上側の吸音板は落下せず、安全に作業を進めることができる。
【００２２】
道路の遮音壁や吸音壁は、遮音板や吸音板が傷つく可能性が高く、しかも、その傷つきは下側で起こる可能性が高く、従って、この発明の取り付け具は、道路の遮音壁や吸音壁のパネルの取り付けに利用すると特に大きな効果を期待できるが、道路用以外の遮音壁、吸音壁用のパネル、或いは、それ以外のパネル、例えば、電波吸収用パネル、建築物の内外装用パネルなどの取り付けにも利用できる。
【００２３】
なお、最上部固定枠１１および下横枠１３に設ける取り付け部１１ｂ、１３ｂはその数を２個以上にしてもよい。
【００２４】
図８〜図１０は、取り付け部１１ｂ、１３ｂに設けた取り付け穴ｈとアンカーボルト１４との間にずれが生じたときのことを考えて設ける補助具を示している。
【００２５】
アンカーボルト１４の植設位置は鉄筋の配筋位置による規制を受けて規定位置から縦方向にもずれることがある。その縦方向の位置ずれは、取り付け部１１ｂ、１３ｂに設けた横長の取り付け穴ｈでは吸収することができない。
【００２６】
このときに補助具１５を用いる。この補助具１５は、固定ボルト挿通穴１５ａと、縦長の締結ボルト挿通穴１５ｂと、アンカーボルト１４に螺合させて補助具を間に挟み込む締付けナットＮ２及び止めナットＮ１のどちらか一方に相対回転不可に係止させるナット係止部（図のそれは溝）１５ｃを設けて成る。この補助具１５を図９に示すように、穴１５ａに通したアンカーボルト１４に固定し、長穴の穴ｈと１５ｂにそれぞれ通した締結ボルト１６とそれに螺合させるナット（図示せず）を用いて取り付け部１１ｂ（１３ｂ）を補助具１５に連結する。なお、補助具１５は、パネルの荷重が締めつけ方向に作用するナットに係止させる。例えば図９の場合、パネルの荷重により補助具１５に図中矢印方向の回転モーメントＭが加わるので、補助具１５を締付けナットＮ２に係止させる。また、図１０の場合にはパネルの荷重による回転モーメントＭが図９とは反対向きとなるので、補助具１５を裏返しにして止めナットＮ１に係止させる。
【００２７】
【発明の効果】
以上述べたように、この発明の取り付け具は３種類の枠で構成され、複数段に積み重ねた状態にして取り付けるパネルを最上段のパネルから順に下に向かって取り付けて行くので、痛んだ下段のパネルを上段のパネルを取り外さずに交換することができ、また、下段のパネルを外しても上段のパネルのずり落ちが起こらず、ボルトによる固着箇所も少なく、パネル交換や新設パネルの取り付けを効率良く行うことができる。
【００２８】
また、固定用の係止具や取り付け部が表面に現れず、施工した壁などの体裁にも優れる。
【００２９】
なお、図８〜図１０の補助具を含ませたものは、アンカーボルトの縦、横、両方向への位置ずれも吸収でき、パネルの施工性がより良くなる。
【図面の簡単な説明】
【図１】この発明の取り付け具を用いて施工した吸音壁の側面図
【図２】同上の吸音壁の正面図
【図３】取り付け具の詳細を示す斜視図
【図４】（ａ）  吸音板に上横枠と下横枠をはめた状態を示す正面図
（ｂ）  吸音板に上横枠と下横枠をはめた状態を示す側面図
【図５】図１のＡ部の拡大断面図
【図６】図１のＢ部の拡大断面図
【図７】図１のＣ部の拡大断面図
【図８】縦方向位置ずれ吸収用の補助具を示す斜視図
【図９】図８の補助具の使用状態の一例を示す正面図
【図１０】図８の補助具の使用状態の他の例を示す正面図
【図１１】従来のパネル取り付け具の一例を示す正面図
【符号の説明】
１      吸音壁
２      吸音板
１０    取り付け具
１１    最上部固定枠
１２    上横枠
１３    下横枠
１１ａ、１２ａ、１３ａ  フレーム
１１ｂ、１３ｂ  取り付け部
１１ｃ、１２ｃ、１３ｃ  溝
１２Ｂ  係止具
１４    アンカーボルト
１５    補助具
１５ａ  固定ボルト挿通穴
１５ｂ  締結ボルト挿通穴
１５ｃ  ナット係止部
１６    締結ボルト
ｈ          取り付け穴
Ｗ      コンクリート壁面
【図１】
2004162349.tif 000003
【図２】
2004162349.tif 000004
【図３】
2004162349.tif 000005
【図４】
2004162349.tif 000006
【図５】
2004162349.tif 000007
【図６】
2004162349.tif 000008
【図７】
2004162349.tif 000009
【図８】
2004162349.tif 000010
【図９】
2004162349.tif 000011
【図１０】
2004162349.tif 000012
【図１１】
2004162349.tif 000013